(57)【特許請求の範囲】
【請求項１】
情報センターを有し、前記情報センターと通信可能に接続される通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理システムであって、
前記情報センターは、
前記通信端末からオリエンテーリングを一時中断するための一時中断要求及びオリエンテーリングを再開するための再開要求を受信する受信手段と、
前記一時中断要求の受信時に、その一時中断時の通信端末の位置を記憶する記憶手段と、
前記再開要求の受信時に、前記記憶手段に記憶された前記一時中断時の位置に基づいて、その通信端末の現在位置がオリエンテーリングを一時中断した区域に存在するか否かを判定する位置判定手段と、
前記一時中断された区域に前記通信端末が存在することが判定されたときに、オリエンテーリングの再開を許容する再開手段と、
前記通信端末が予め定められた複数のチェックポイントに到達した場合に、ゴールメッセージ及び他のユーザとの競技結果のランキングを前記通信端末に提供する提供手段と、
を備えることを特徴とする情報処理システム。
【請求項２】
前記情報センターは、前記再開要求の受信時には、前記一時中断された区域に前記通信端末を誘導する誘導手段を備えることを特徴とする請求項１に記載の情報処理システム。
【請求項３】
通信端末と通信可能に接続され、前記通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置であって、
前記通信端末からオリエンテーリングを一時中断するための一時中断要求及びオリエンテーリングを再開するための再開要求を受信する受信手段と、
前記一時中断要求の受信時に、その一時中断時の通信端末の位置を記憶する記憶手段と、
前記再開要求の受信時に、前記記憶手段に記憶された前記一時中断時の通信端末の位置に基づいて、その通信端末の現在位置がオリエンテーリングを一時中断した区域に存在するか否かを判定する位置判定手段と、
前記一時中断された区域に前記通信端末が存在することが判定されたときに、オリエンテーリングの再開を許容する再開手段と、
前記通信端末が予め定められた複数のチェックポイントに到達した場合に、ゴールメッセージ及び他のユーザとの競技結果のランキングを前記通信端末に提供する提供手段と、
を備えることを特徴とする情報処理装置。
【請求項４】
通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置を制御するための制御方法であって、
前記情報処理装置が前記通信端末から一時中断要求を受信したときに、その一時中断時の通信端末の位置を前記情報処理装置が記憶する工程と、
前記情報処理装置が前記通信端末から再開要求を受信したときに、前記記憶手段に記憶された前記一時中断時の通信端末の位置に基づいて、その通信端末の現在位置がオリエンテーリングを一時中断した区域に存在するか否かを前記情報処理装置が判定する工程と、
前記情報処理装置により前記一時中断された区域に前記通信端末が存在することが判定されたときに、前記情報処理装置がオリエンテーリングの再開を許容する工程と、
前記通信端末が予め定められた複数のチェックポイントに到達した場合に、ゴールメッセージ及び他のユーザとの競技結果のランキングを前記通信端末に提供する工程と、
を含むことを特徴とする情報処理装置の制御方法。
【請求項５】
通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置を制御するための制御プログラムであって、
前記情報処理装置が前記通信端末から一時中断要求を受信したときに、その一時中断時の通信端末の位置を前記情報処理装置が記憶する工程と、
前記情報処理装置が前記通信端末から再開要求を受信したときに、前記記憶手段に記憶された前記一時中断時の通信端末の位置に基づいて、その通信端末の現在位置がオリエンテーリングを一時中断した区域に存在するか否かを前記情報処理装置が判定する工程と、
前記情報処理装置により前記一時中断された区域に前記通信端末が存在することが判定されたときに、前記情報処理装置がオリエンテーリングの再開を許容する工程と、
前記通信端末が予め定められた複数のチェックポイントに到達した場合に、ゴールメッセージ及び他のユーザとの競技結果のランキングを前記通信端末に提供する工程と、
を実行させることを特徴とする制御プログラム。
【請求項６】
請求項５に記載の制御プログラムを格納したことを特徴とするコンピュータ可読媒体。
【発明の詳細な説明】
【０００１】
【発明の属する技術分野】
本発明は、インターネット等の通信環境を介して情報を提供する情報処理システム、情報処理装置及び通信端末などに関する。
【０００２】
【従来の技術】
従来、インターネット等の通信網にユーザの通信端末を接続し、オリエンテーリングやラリー等のゲームを行う情報処理装置が開示されている。例えば、特開平９−３１９６６２号では、ユーザの現在地情報をパスワードとし、ユーザが中継点に到達するとその地点の現在地情報がパスワードとして用いられ、このパスワードが予め用意された位置情報に一致すると次の中継点への情報が得られるラリーシステムを開示している。また、特開２０００−３００７１１号は、オリエンテーリングやラリー等の競技を支援するために、競技をナビゲートし、競技結果を集計する移動競技ナビゲーション装置を開示している。
【０００３】
【発明が解決しようとする課題】
しかしながら、上記従来技術は、オリエンテーリングやラリー等を行う際に、通信端末のユーザをナビゲートすることはできるが、オリエンテーリングの継続が困難な場合に一時中断し、後で再開することはできない。その結果、通信端末のユーザにとって利便性が悪いという問題があった。
【０００４】
本発明は、上記の課題に鑑みてなされたものであり、通信端末に対して、オリエンテーリングの継続が困難な場合や、ユーザがオリエンテーリングの一時中断を希望する場合などに、オリエンテーリングを一時中断し、後で再開することによってユーザの利便性を向上できる情報処理システム、通信端末及び情報処理装置などを提供することを目的とする。
【０００５】
【課題を解決するための手段】
本発明の第１の側面は、情報センターを有し、前記情報センターと通信可能に接続される通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理システムに係り、前記情報センターは、前記通信端末からオリエンテーリングを一時中断するための一時中断要求及びオリエンテーリングを再開するための再開要求を受信する受信手段と、前記一時中断要求の受信時に、その一時中断時の通信端末の位置を記憶する記憶手段と、前記再開要求の受信時に、前記記憶手段に記憶された前記一時中断時の位置に基づいて、その通信端末の現在位置がオリエンテーリングを一時中断した区域に存在するか否かを判定する位置判定手段と、前記一時中断された区域に前記通信端末が存在することが判定されたときに、オリエンテーリングの再開を許容する再開手段と、前記通信端末が予め定められた複数のチェックポイントに到達した場合に、ゴールメッセージ及び他のユーザとの競技結果のランキングを前記通信端末に提供する提供手段と、を備えることを特徴とする。
【０００７】
本発明の好適な実施の形態によれば、前記情報センターは、前記再開要求の受信時には、前記一時中断された区域に前記通信端末を誘導する誘導手段を備えることを特徴とする請求項１に記載の情報処理システム。
【００１０】
本発明の第２の側面は、通信端末と通信可能に接続され、前記通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置に係り、前記通信端末からオリエンテーリングを一時中断するための一時中断要求及びオリエンテーリングを再開するための再開要求を受信する受信手段と、前記一時中断要求の受信時に、その一時中断時の通信端末の位置を記憶する記憶手段と、前記再開要求の受信時に、前記記憶手段に記憶された前記一時中断時の通信端末の位置に基づいて、その通信端末の現在位置がオリエンテーリングを一時中断した区域に存在するか否かを判定する位置判定手段と、前記一時中断された区域に前記通信端末が存在することが判定されたときに、オリエンテーリングの再開を許容する再開手段と、前記通信端末が予め定められた複数のチェックポイントに到達した場合に、ゴールメッセージ及び他のユーザとの競技結果のランキングを前記通信端末に提供する提供手段と、を備えることを特徴とする。
【００１１】
本発明の第３の側面は、通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置を制御するための制御方法に係り、前記情報処理装置が前記通信端末から一時中断要求を受信したときに、その一時中断時の通信端末の位置を前記情報処理装置が記憶する工程と、前記情報処理装置が前記通信端末から再開要求を受信したときに、前記記憶手段に記憶された前記一時中断時の通信端末の位置に基づいて、その通信端末の現在位置がオリエンテーリングを一時中断した区域に存在するか否かを前記情報処理装置が判定する工程と、前記情報処理装置により前記一時中断された区域に前記通信端末が存在することが判定されたときに、前記情報処理装置がオリエンテーリングの再開を許容する工程と、前記通信端末が予め定められた複数のチェックポイントに到達した場合に、ゴールメッセージ及び他のユーザとの競技結果のランキングを前記通信端末に提供する工程と、を含むことを特徴とする。
【００１２】
本発明の第４の側面は、通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置を制御するための制御プログラムに係り、前記情報処理装置が前記通信端末から一時中断要求を受信したときに、その一時中断時の通信端末の位置を前記情報処理装置が記憶する工程と、前記情報処理装置が前記通信端末から再開要求を受信したときに、前記記憶手段に記憶された前記一時中断時の通信端末の位置に基づいて、その通信端末の現在位置がオリエンテーリングを一時中断した区域に存在するか否かを前記情報処理装置が判定する工程と、前記情報処理装置により前記一時中断された区域に前記通信端末が存在することが判定されたときに、前記情報処理装置がオリエンテーリングの再開を許容する工程と、前記通信端末が予め定められた複数のチェックポイントに到達した場合に、ゴールメッセージ及び他のユーザとの競技結果のランキングを前記通信端末に提供する工程と、を実行させることを特徴とする。
【００１３】
本発明の第５の側面は、通信端末に対してチェックポイントに関する情報を送信するとともに、前記通信端末が前記チェックポイントに到達したことが検出されたとき、前記通信端末に次のチェックポイントに関する情報を送信するオリエンテーリングを行うための情報処理装置を制御するための制御プログラムを格納したことを特徴とするコンピュータ可読媒体に係り、前記情報処理装置が前記通信端末から一時中断要求を受信したときに、その一時中断時の通信端末の位置を前記情報処理装置が記憶する工程と、前記情報処理装置が前記通信端末から再開要求を受信したときに、前記記憶手段に記憶された前記一時中断時の通信端末の位置に基づいて、その通信端末の現在位置がオリエンテーリングを一時中断した区域に存在するか否かを前記情報処理装置が判定する工程と、前記情報処理装置により前記一時中断された区域に前記通信端末が存在することが判定されたときに、前記情報処理装置がオリエンテーリングの再開を許容する工程と、前記通信端末が予め定められた複数のチェックポイントに到達した場合に、ゴールメッセージ及び他のユーザとの競技結果のランキングを前記通信端末に提供する工程と、を実行させることを特徴とする。
【００１４】
【発明の効果】
上記の本発明によれば、通信端末に対して、オリエンテーリングの継続が困難な場合などに一時中断し、後で再開することによってユーザの利便性を向上できる情報処理システム、通信端末及び情報処理装置などの提供が実現する。
【００１５】
即ち、請求項１、３、４、５、６の発明によれば、オリエンテーリングの継続が困難な場合やユーザが一時中断を希望する場合などにオリエンテーリングを一時中断し、オリエンテーリングの再開に役立つ情報を記憶しておくことで、後の再開が可能となり、通信端末のユーザの利便性を向上することができる。また、一時中断要求があった区域と同じ区域に通信端末が到達したときにオリエンテーリングを再開させるように制御することによって、通信端末のユーザに対して、オリエンテーリングの継続性を保証することができる。また、他のユーザとのゲーム上の公平性を保証することが可能となる。
【００１７】
また、請求項２の発明によれば、オリエンテーリングを再開するときに、一時中断要求を出した区域へとユーザを誘導することによって、通信端末のユーザに対して、オリエンテーリング再開時の利便性を更に向上することができる。
【００２０】
【発明の実施の形態】
以下に、図面を参照して、本発明の好適な実施の形態としての情報処理システムを詳細に説明する。ただし、この実施の形態に記載されている具体的事項は、本発明の理解を助けるためのものに過ぎず、本発明の技術的範囲をそれに限定する趣旨のものではない。
【００２１】
本実施形態の情報処理システムにおいて、「オリエンテーリング」とは、例えば、情報センター１が通信機能付き車載ナビゲーション装置４及び／または携帯端末５に対して、チェックポイントについて想到可能な情報をユーザに提供すると共に、情報センター１がそのチェックポイントへユーザが到達したことを確認したときには、情報センター１がユーザに対し次のチェックポイントについて想到可能な情報を提供する処理を繰り返すことによって、ユーザが、例えば、車で移動しながら複数のチェックポイントを訪れることを言う。オリエンテーリングの詳細な説明は後述の図４で行う。
【００２２】
また、本実施形態の情報処理システムにおいて、「チェックポイント」とは、例えば、オリエンテーリングにおいて各所に設けられた目標地点であり、所定の面積を有する。
【００２３】
また、通信端末がチェックポイントに到達したか否かの検出は、例えば、通信端末により測位された測位位置がチェックポイントの位置と実質的に一致していること、通信端末により送信されてきた暗証番号やキーワードなどが正しい暗証番号やキーワードであること、あるいは、通信端末からチェックポイント到達信号を受信したこと等によって行われる。
【００２４】
[システム構成]
本発明の好適な実施の形態に係る情報処理システムの構成について図１から図３を参照して説明する。図１は、本発明の実施の形態に係る情報処理システムの全体構成を示す概念図である。
【００２５】
図１に示すように、本実施形態の情報処理システムは、例えば、電気通信回線の一例としてのインターネット２と、インターネット２に接続可能なサーバであって、通信機能付き車載ナビゲーション装置４及び携帯端末５に対してオリエンテーリングに関する情報を提供する情報センター１と、インターネットに接続可能な基地局３とで構成される。
【００２６】
情報センター１は、チェックポイントデータ記録部６と地図データ記録部７とを含む。チェックポイントデータ記録部６は、オリエンテーリングの各チェックポイントに関するデータ、例えば、チェックポイントの登録番号、チェックポイントのジャンル、チェックポイントの名称、チェックポイントの位置、キーワードなどのデータを格納するためのメモリである。地図データ記録部７は、通信機能付き車載ナビゲーション装置４及び携帯端末５の画面上に地図を表示するための地図データを格納する。これらのメモリは、磁気ディスクや光ディスクなどのストレージデバイスであってもよい。また、これらのメモリは、物理的に１つのメモリを用いて、そのメモリ内のメモリ領域を分割して用いてもよいし、複数のメモリを用いてもよい。また、ここでは、チェックポイントデータ記録部６と地図データ記録部７との２つのメモリについて説明したが、これに限るものではない。
【００２７】
情報センター１は、１台のサーバで構成してもよいし、複数のサーバで構成してもよい。サーバへの負荷やメインテナンスの安全性などを考慮して、例えば、ＷｅｂサーバとＤＢサーバとを別々のサーバで構築してもよい。一般的なサーバ・コンピュータと通信インタフェースとが適用可能であるため、本実施形態のサーバの構成における詳細な説明は省略する。
【００２８】
また、通信機能付き車載ナビゲーション装置４と携帯端末５とは、一般的な公衆無線通信により基地局３を介してインターネット２に接続可能であり、以下の説明ではこれら２つの装置を通信端末１０と総称する。
【００２９】
[情報センターの内部構成]
図２は、本実施形態における情報センター１の内部構成を例示するブロック図である。図２に示すように、本実施形態における情報センター１は、例えば、ＣＰＵ１１、ＲＯＭ１２、ＲＡＭ１３、ＨＤＤ１４、通信インタフェース１５、内部バス１６で構成される。ＣＰＵ１１は内部バス１６を介してＨＤＤ１４に格納されたプログラムやデータをＲＡＭ１３にロードして、情報センター１全体を制御する。ＲＯＭ１２は、ＣＰＵ１１に提供するＢＩＯＳ等の制御プログラムを記憶している。ＲＡＭ１３は制御プログラムを実行するために用いられる各種作業領域、一時待避領域として機能する。ＨＤＤ１４は、地図データ、チェックポイントデータなどを格納するためのメモリ領域を始め、本実施形態に係る情報処理システムを実現するための制御プログラムＡ、オペレーティングンシステム（ＯＳ）やその他の制御プログラム、その他オリエンテーリングに関する各種データなどを格納するためのメモリ領域を持つ記憶装置である。情報センター１は、外部の装置と通信回線３１（例えば、インターネット２）を介して通信するための通信インタフェース１５（無線送受信機）を備えている。これらの構成は、内部バス１６を介して接続されており、ＣＰＵ１１はＨＤＤ１４に記憶したプログラムやデータに従って情報センター１の全体又は一部を制御する。
【００３０】
[通信端末の内部構成]
図３は、本実施形態における通信端末１０の内部構成を例示するブロック図である。図３に示すように、本実施形態における通信端末１０は、例えば、ＣＰＵ２１、入力装置２２、出力装置２３、ＲＯＭ２４、ＲＡＭ２５、ＨＤＤ２６、通信アンテナ２７、方位センサ２８、測位センサ２９、内部バス３０で構成される。ＣＰＵ２１は内部バス３０を介して通信端末１０全体の制御を実行する。ＣＰＵ２１は、入力装置２２（例えば、キーボード、ポインティングデバイス、ペン、マイク、操作スイッチ等）から入力された命令に従って、本実施形態に係る情報処理システムに関連した一連の処理を実行する。ＣＰＵ２１によって実行された実行結果は出力装置２３（例えば、ＣＲＴディスプレイ、液晶ディスプレイ、スピーカ等）に出力される。ＲＯＭ２４は、ＣＰＵ２１に提供するＢＩＯＳ等の制御プログラムを記憶している。ＲＡＭ２５は制御プログラムを実行するために用いられる各種作業領域、一時待避領域として機能する。ＨＤＤ２６は、本実施形態に係る情報処理システムを実現するための制御プログラムＢ、オペレーティングンシステム（ＯＳ）やその他の制御プログラム、オリエンテーリング用の地図情報などのデータなどを格納するための記憶装置である。ＣＰＵ２１はＨＤＤ２６に格納されたプログラムやデータをＲＡＭ２５にロードして実行する。通信端末１０は、外部の装置と通信回線３２（例えば、インターネット２）を介して通信するための通信アンテナ２７（無線送受信機）を備えている。また、通信端末１０は、外部より受信したＧＰＳ（グローバル・ポジショニング・システム）信号に基づいて現在位置を検出する方位センサ２８と測位センサ２９とを備えている。これらの構成は、内部バス３０を介して接続されており、ＣＰＵ２１はＨＤＤ２６に記憶したプログラムやデータに従って通信端末１０の全体又は一部を制御する。
【００３１】
以上のように、図１、図２に示した、本発明の好適な実施形態に係る情報処理システムは、一般的なコンピュータに制御プログラムＡ、Ｂを提供することによって構築される。制御プログラムＡ、Ｂは、それ自体が発明を構成し、また制御プログラムＡ、Ｂを格納した記録媒体も発明を構成する。このような記録媒体としては、例えば、フロッピーディスクやハードディスクなどの磁気ディスク、ＣＤ−ＲＯＭやＤＶＤ−ＲＯＭなどの光ディスク、ＣＤ−Ｒ/ＷやＤＶＤ−ＲＡＭなどの光磁気ディスク、磁気テープ、不揮発性のメモリカード、ＲＯＭ等を用いることができる。
【００３２】
本実施形態において、情報センター１と通信端末１０とは、インターネット２で使用される一般的な通信プロトコルでデータ通信を行うことができる。また、ブラウザ機能を持ったソフトウエアにより、通信端末１０から入力された情報センター１固有のＵＲＬ（Ｕｎｉｆｏｒｍ  Ｒｅｓｏｕｒｃｅ  Ｌｏｃａｔｏｒ）に応じて、情報センター１と通信端末１０とがインターネット２を介して双方向通信可能に接続され、後述するオリエンテーリングのための各種データが出力装置２３上に表示される。
【００３３】
上記の構成を用いて、情報センター１は、インターネット２を介して通信端末１０でオリエンテーリングを行い、通信端末１０のユーザが次のチェックポイントまで移動するのに適した交通手段をこの通信端末のユーザに提供することができる情報処理システム、通信端末及び情報処理装置などをユーザに提供する。
【００３４】
[オリエンテーリング]
次に、オリエンテーリングに関して行われる処理について図４を参照しながら説明する。前述のように、オリエンテーリングでは、情報センター１がチェックポイントについて想到可能な情報をユーザに提供する処理を繰り返すことによって、ユーザが、例えば、通信端末１０を備えた車で移動しながら複数のチェックポイントを訪れる。
【００３５】
図４に示すように、通信端末１０は、オリエンテーリングを開始するためのオリエンテーリング開始要求を情報センター１に送信する。情報センター１は、通信端末１０からオリエンテーリング開始要求を受信すると、オリエンテーリング開始要求を送信した通信端末１０に対して、少なくともチェックポイント（第１通過区域）に関する情報を提供する。この情報は、例えば、通信端末１０のユーザがチェックポイントを想到可能なヒント及び／またはチェックポイントの位置情報を含む。また、ユーザがチェックポイントを想到可能なヒントは、情報センター１から通信端末１０に直接提供するのではなく、例えば、他のサーバに予め含ませておき、そのサーバ上にあるＷｅｂページのＵＲＬを提供してもよいし、他のサーバにデータを保存して、そのサーバからそのデータを通信端末１０に提供してもよい。
【００３６】
次に、通信端末１０のユーザは、提供されたヒント、或いは、提供された位置情報、ＨＤＤ２６に記憶された地図情報、方位センサ２８及び測位センサ２９による現在位置情報等を参考にしながらチェックポイントに向かう。この場合、通信端末１０のユーザは、ＣＰＵ２１が実行するナビゲーション機能を利用してもよい。ナビゲーション機能を利用すれば、通信端末１０のユーザはナビゲーション機能による誘導を受けながらチェックポイントに向かうことができる。このナビゲーション機能は商業上のメリットが大きい。これは、ユーザがチェックポイントに到達する可能性が増すことによって、ユーザがチェックポイントへ訪問する機会が多く得られるとともに、チェックポイントにおいても商業上のメリット、例えば、物品の販売の促進などを享受することができるからである。
【００３７】
ユーザがチェックポイント（第１通過区域）に到着すると、所定のキーワードまたは暗証番号が提供される。これらは、情報センター１が通信端末１０に提供してもよいし、例えば、チェックポイントのスポンサーが所定の手続きを行うことによって通信端末１０のユーザに提供してもよい。
【００３８】
次に、通信端末１０のユーザは、提供されたキーワードまたは暗証番号を通信端末１０に入力する。入力されたキーワードまたは暗証番号が正しい場合には、情報センター１は、少なくともその次に目標とするチェックポイントに関する情報（即ち、ヒントや位置情報）を提供する。これにより、エンターテイメント性を高めることができると共に、当該所定のキーワードまたは暗証番号を本システムのスポンサーに関するものに設定すれば、そのスポンサーは、商業上のメリットを享受することができる。
【００３９】
このような一連の流れが複数回繰り返され、情報センター１は、通信端末１０のユーザが所定の複数のチェックポイントを来訪したことが確認できたときに、当該通信端末１０に対して、ゴールメッセージや完走賞（規定コースの場合には他者とのランキングを含む）を提供する。この場合も、提供されるゴールメッセージや完走賞には、今回来訪したチェックポイント或いは系列の店舗や施設等をユーザが次回利用した場合に、何等かの優待を受けることが可能な、割引券やクーポン券として機能する表示画面等の情報を含むんでもよい。
【００４０】
[制御フロー]
次に、上述したオリエンテーリングの詳細を説明するために、図５及び図６を参照しながら、情報センター１及び通信端末１０の個別の制御フローについて説明する。
【００４１】
図５は、情報センター１側の制御処理を示すフローチャートであり、情報センター１のＣＰＵ１１が実行する手順を示す。情報センター１と通信端末１０とは、インターネット２を介して双方向通信可能に接続される。
【００４２】
図５において、情報センター１は、通信回線３１に接続される通信インタフェース１５を介して通信端末１０から接続を開始するための接続開始要求があるかどうかを判定する（ステップＳ１）。情報センター１は、通信端末１０から接続開始要求を受けると（ステップＳ１でＹＥＳ）、通信インタフェース１５を介して通信端末１０と接続を開始する（ステップＳ２）。次に、情報センター１は、メニュー画面のデータを通信インタフェース１５を介して通信端末１０に送信する（ステップＳ３）。
【００４３】
ここで、ステップＳ３で情報センター１が通信端末１０に送信するメニュー画面のデータ形式は、一例として、ＨＴＭＬ(Ｈｙｐｅｒ  Ｔｅｘｔ  Ｍａｒｋｕｐ  Ｌａｎｇｕａｇｅ)形式であるのが一般的であるが、これに限るものではない。ＸＭＬなどのマークアップ言語、ＪａｖａＳｃｒｉｐｔなどのスクリプト言語、Ｊａｖａなどのプログラミング言語等、あるいはこれらの言語を複数組み合わせた形式でもよい。ここで、ＨＴＭＬなどのファイルは、ＷｅｂサーバにおけるＣＧＩプログラム、ＤＢサーバにおけるプロシージャやプログラム、及びＪａｖａＳｃｒｉｐｔ等から動的に作成されたものも含まれる。また、米マクロメディアのＦｌａｓｈなどのプラグインを用いてもよい。音声や画像を用いる場合はインターネット上で一般的に使用されている形式を用いてよい。なお、本発明の実施形態における他のステップで、情報センター１が通信端末にデータを提供する場合も、上記と同様にしてそのデータを通信端末１０に送信するものとする。
【００４４】
ユーザの利便性を考えた場合、インターネット上で普及している形式を用いるのが望ましいと考えられる。よって、多くのユーザが利用できる形式のプログラミング言語、スクリプト言語、マークアップ言語、音声、画像、プラグイン等を組み合わせた形式を用いるのが望ましい。
【００４５】
次に、情報センター１は、ステップＳ３で送信したメニュー画面に基づいて通信端末１０から送信されたオリエンテーリング開始要求を受信したかどうかを判断する（ステップＳ４）。情報センター１が通信端末１０からオリエンテーリング開始要求を受信すると（ステップＳ４でＹＥＳ）、後述するオリエンテーリング処理動作の実行を許容する（ステップＳ５）。情報センター１がオリエンテーリング開始要求を受信しない場合は、他の所定処理（例えばメールの送受信等）を行い、情報センター１はオリエンテーリング開始要求を受信するまでステップＳ４を繰り返す。
【００４６】
以上のようにして、情報センター１はオリエンテーリングを行う。情報センター１と通信端末１０とは、インターネット２を介して双方向通信可能に接続された、情報センター１と通信端末１０とは連動して処理が行われる。次に、通信端末１０側の制御処理を示す。
【００４７】
図６は、通信端末１０側の制御処理を示すフローチャートであり、通信端末１０のＣＰＵ２１が実行する手順を示す。
【００４８】
図６において、まず、通信端末１０は、入力装置２２から情報センター１へ接続するための接続開始要求がユーザ操作により行われたかどうかを判定する（ステップＳ１１）。通信端末１０は、ユーザ操作により入力装置２２から情報センター１への接続開始要求があると（ステップＳ１１でＹＥＳ）、通信端末１０は、通信回線３２に接続された通信アンテナ２７を介して情報センター１へ接続開始要求を送信する（ステップＳ１２）。
【００４９】
次に、通信端末１０は、情報センター１からオリエンテーリングのためのメニュー画面のデータを受信したかどうかを判定する（ステップＳ１３）。通信端末１０は、メニュー画面のデータを受信すると、そのメニュー画面を出力装置２３上に表示する（ステップＳ１４）。
【００５０】
さらに、通信端末１０は、ユーザ操作により入力装置２２のメニュー画面上でオリエンテーリングを開始するためのオリエンテーリング要求操作が行われたかどうかを判定する（ステップＳ１５）。通信端末１０は、オリエンテーリング要求操作が行われると（ステップＳ１５でＹＥＳ）、通信アンテナ２７を介して情報センター１にオリエンテーリング要求を送信する（ステップＳ１６）。オリエンテーリング要求操作が行われない場合は、通信端末１０は、方位センサ２８や測位センサ２９を利用したナビゲーション機能による経路誘導、通話等の他の所定処理を行い、オリエンテーリング要求操作が行われるまでステップＳ１５を繰り返す。通信装置１０は、オリエンテーリング要求を送信すると、図９を参照して後述するオリエンテーリング処理動作を実行する（ステップＳ１７）。
【００５１】
[オリエンテーリング処理動作]
図７は、情報センター１側の制御処理を示すフローチャートのうち、図５のオリエンテーリング処理動作（ステップＳ５）の詳細を示すフローチャートである。
【００５２】
図７において、まず、情報センター１は、接続されている通信端末１０がオリエンテーリング中であるかどうかを判定する（ステップＳ２１）。情報センター１は、通信端末１０がオリエンテーリング中であると（ステップＳ２１でＹＥＳ）、通信端末１０から一時中断要求があるかどうかを判定する（ステップＳ２２）。通信端末１０から一時中断要求があると（ステップＳ２２でＹＥＳ）、情報センター１は、通信端末１０で行われているオリエンテーリングの内容、通信端末１０の現在の情報、例えば、ＨＤＤ１４内にある図１１に示すデータベースにおける一時中断時の位置、一時中断時の日時など、その他履歴情報をＨＤＤ１４に記憶する（ステップＳ２３）。情報センター１は、ここで記憶した情報に基づいて、オリエンテーリングを再開する。情報センター１は、記憶処理が終了したら、図１１に示すＨＤＤ１４内にあるデータベースの現在の状態を「一時中断」に書き換えた後に、通信端末１０に対する一時中断処理の実行を許容する（ステップＳ２４）。さらに、情報センター１は、通信端末１０から再開要求があるかどうかを判定する（ステップＳ２５）。通信端末１０から再開要求があると（ステップＳ２５でＹＥＳ）、オリエンテーリングを再開のための処理を開始する（ステップＳ２９へ進む）。
【００５３】
情報センター１は、通信端末１０がオリエンテーリング中でなければ（ステップＳ２１でＮＯ）、オリエンテーリングを開始するためのメニュー画面のデータを通信端末１０に送信する（ステップＳ２６）。次に、通信端末１０からオリエンテーリングのための条件及び要求を受信したかどうかを判定する（ステップＳ２７）。ここで、オリエンテーリングのための条件とは、例えば、最終チェックポイントの名称、チェックポイントのジャンル、目標走行距離、目標競技時間などである。また、オリエンテーリングのための要求とは、例えば、オリエンテーリングの競技を実際に開始するためのスタート要求などの命令である。
【００５４】
次に、一時中断時のオリエンテーリングの再開を許容するための一時中断コースを選択したかどうかを判定する（ステップＳ２８）。一時中断コースを選択した場合（ステップＳ２８でＹＥＳ）、オリエンテーリングの再開を許容するための警報と共に、再開位置、再開時刻などを通信端末１０に送信する（ステップＳ２９）。次に、情報センター１は、再開位置である一時中断した区域へと通信端末１０を誘導する（ステップＳ３０）。次に、情報センター１は、図１１に示すＨＤＤ１４内にあるデータベースの一時中断時の位置や一時中断時の日時から、通信端末１０がオリエンテーリングを一時中断した区域に到着し、かつ所定の時間帯に一致したかどうかを判定し、条件が一致したときにＨＤＤ１４から次のチェックポイントに関する情報を読み出して通信端末１０にその情報を送信し、通信端末に対する再開処理の実行を許容する（ステップＳ３１）。
【００５５】
一時中断コースを選択しなかった場合（ステップＳ２８でＮＯ）、情報センター１は、ステップＳ２７で通信端末１０から受信した条件や要求などを、例えば、情報センター１のＨＤＤ１４にあるデータベースに記憶する（ステップＳ３２）。ここで記憶した条件や要求などは、例えは、次に通信端末１０でオリエンテーリングを行う際に、以前に指定した条件や要求を再度指定することなく、以前の条件や要求を用いてオリエンテーリングを行う場合などに用いられる。これらの条件や要求は複数記憶することもでき、複数回にわたるオリエンテーリングの条件や要求を用いることができる。また、通信端末１０からのユーザ操作によってこれらの条件や要求の中から任意の条件や要求を削除することもできる。条件等の記憶が終了すると、情報センター１は、通信端末１０に第１番目のチェックポイントの位置情報及びヒントを送信する（ステップＳ３３）。
【００５６】
次に、ステップＳ３４乃至ステップＳ３６において、通信端末１０がチェックポイントに到達したか否かを判定する。例えば、通信端末１０により測位された測位位置がチェックポイントの位置と実質的に一致しているとき、通信端末１０により送信されてきた暗証番号やキーワードなどが正しい暗証番号やキーワードであるとき、あるいは、通信端末からチェックポイント到達信号を受信したときに、通信端末がチェックポイントに到達したと判定すればよい。
【００５７】
通信端末１０から再開要求がない場合（ステップＳ２５でＮＯ）、情報センター１は、通信端末１０がチェックポイントに到達したことを示すチェックポイント到達信号を受信したかどうかを判定する（ステップＳ３４）。チェックポイント到達信号を受信した場合には（ステップＳ３４でＹＥＳ）、情報センター１は、通信端末１０の現在位置及びそのチェックポイントにおけるキーワードまたは暗証番号を通信端末１０から受信したかどうかを判定する（ステップＳ３５）。通信端末１０から現在位置及びキーワードまたは暗証番号を受信しない場合は、通信端末１０から現在位置及びキーワードまたは暗証番号を受信するまでステップＳ３５を繰り返す。この間は、通信端末１０側では入力待ちの状態になっている。
【００５８】
チェックポイントにおけるキーワードまたは暗証番号は、チェックポイントに各々割り当てられており、通信端末１０がチェックポイントに到達したときに情報センター１が通信端末１０に提供してもよいし、例えば、チェックポイントのスポンサーが所定の手続きを行うことによって通信端末１０のユーザに提供してもよい。情報センター１が通信端末１０に提供する場合は、例えば、情報センター１のチェックポイントデータ記録部６（ＨＤＤ１４のメモリ領域の一部）に格納されているデータベースからキーワードまたは暗証番号を取り出して通信端末１０に提供する。
【００５９】
情報センター１は、通信端末１０の現在位置及びチェックポイントにおけるキーワードまたは暗証番号を通信端末１０から受信すると（ステップＳ３５でＹＥＳ）、受信した通信端末１０の現在位置及びキーワードまたは暗証番号が、情報センター１に予め登録されている情報に合致する「正解」であるかを判断する（ステップＳ３６）。
【００６０】
受信した通信端末１０の現在位置及びキーワードまたは暗証番号が「正解」でなければ（ステップＳ３６でＮＯ）、「不正解」であることを示す不正解信号を通信端末１０に送信する（ステップＳ３７）。
【００６１】
情報センター１は、受信した通信端末１０の現在位置及びキーワードまたは暗証番号が「正解」であれば（ステップＳ３６でＹＥＳ）、通信端末１０がチェックポイントに到達したとして、所定のゴール条件が成立しているかどうかを判定する（ステップＳ３８）。所定のゴール条件とは、通信端末１０上のメニュー画面においてユーザが設定し、ステップＳ２７で情報センター１が通信端末１０から受信した条件であって、例えば、通信端末１０がゴール（最終チェックポイント）に到達したか、所定の複数箇所のチェックポイントを来訪したか等の項目のことを言う。これらのゴール条件は、ステップＳ２７で情報センター１が通信端末１０から受信した条件に基づいてもよいし、予め情報センター１で指定したゴール条件に基づいてもよい。また、所定のゴール条件を満たしているかどうかの判定は、例えば、インターネット２を介して接続される他の情報処理装置が行ってもよい。
【００６２】
情報センター１は、所定のゴール条件が成立しないときには（ステップ３８でＮＯ）、次のチェックポイントを決定する（ステップＳ３９）。ステップＳ３９においては、次のチェックポイントの位置情報などを送信するのに先立って、次のチェックポイントとして選定する場所を、通信端末１０の現在位置と、希望所要時間までの残り時間とに基づいて、ユーザが通信端末１０上で決定・変更してもよい。この場合、通信端末１０の現在位置や希望するチェックポイントの周辺の渋滞情報を外部より取得し、渋滞箇所が迂回可能な区域を、次のチェックポイントとして選定してもよい。
【００６３】
情報センター１は、所定のゴール条件が成立していると（ステップＳ３８でＹＥＳ）、通信端末１０にゴールメッセージなどを含む完走賞のデータを通信端末１０に送信する（ステップＳ４０）。次に、情報センター１は、規定コースの場合には、他のユーザとの競技結果のランキングをＨＤＤ１４またはデータベースなどに記憶すると共に、このランキングを情報センター１上に提示する（ステップＳ４１）。ＨＤＤ１４またはデータベースなどに記憶したこのランキングは、他のサーバ上で公開してもよい。
【００６４】
尚、図７では、ステップＳ３４、ステップＳ３５、ステップＳ３６において、情報センター１が通信端末１０からチェックポイント到達信号、現在の位置情報、及びキーワードを受信し、通信端末１０から受信した現在位置及びキーワードまたは暗証番号が情報センター１に予め登録されている情報に合致する場合に、通信端末１０がチェックポイントに到達したとしてステップＳ３８に進むよう示したがこれに限るものでなく、例えば、通信端末１０により測位された測位位置がチェックポイントの位置と実質的に一致しているとき、通信端末１０により送信されてきた暗証番号やキーワードなどが正しい暗証番号やキーワードであるとき、あるいは、通信端末からチェックポイント到達信号を受信したときに、通信端末がチェックポイントに到達したと判定して、ステップＳ３８に進んでもよい。
【００６５】
図８は、通信端末１０側の制御処理を示すフローチャートのうち、図６のオリエンテーリング処理動作（ステップＳ１７）の詳細を示すフローチャートである。
【００６６】
図８において、まず、通信端末１０は、情報センター１からオリエンテーリングのメニュー画面（図９）のデータを受信したかどうかを判断する（ステップＳ５１）。通信端末１０は、メニュー画面のデータを受信したときには（ステップＳ５１でＹＥＳ）、受信したメニュー画面のデータを出力装置２３上に表示する（ステップＳ５２）。次に、通信端末１０は、表示されたメニュー画面上で指定した条件、並びにオリエンテーリングの開始要求を表わすデータなどを、情報センター１に送信する（ステップＳ５３）。ここで、情報センター１が、通信端末１０の現在の所在地と、ユーザが設定した目的地とによって最適なオリエンテーリングルートを算出するためには、ステップＳ５３において、通信端末１０の現在位置情報も送信するとよい。
【００６７】
通信端末１０は、メニュー画面のデータを受信しないときには（ステップＳ５１でＮＯ）、通信端末１０がオリエンテーリング中であるかどうかを判定する（ステップＳ５４）。通信端末１０は、通信端末１０がオリエンテーリング中であるかを、内部フラグの状態等によって判断し、オリエンテーリング中であるときにはステップＳ５５に進み、実行中でないときには処理を終了する。
【００６８】
次に、通信端末１０は、次のチェックポイントの位置情報を情報センター１から受信したかを判定する（ステップＳ５５）。目標とするチェックポイントの位置情報を受信したときには、チェックポイントの位置情報、ＨＤＤ２６に記憶された地図情報、並びに方位センサ２８、測位センサ２９による現在位置情報等に基づいて行われるナビゲーション機能により、チェックポイントへの経路誘導を行う（ステップＳ５６）。
【００６９】
次に、通信端末１０は、目標とするチェックポイントの位置情報のためのヒントを情報センター１から受信したかどうかを判定する（ステップＳ５７）。このヒントを受信すると（ステップＳ５７でＹＥＳ）、受信したヒントを出力装置２３上に提示する（ステップＳ５８）。
【００７０】
次に、通信端末１０は、目標とするチェックポイントへの経路誘導、或いは、ステップＳ５８にて提供されたチェックポイントに関するヒントにより、通信端末１０のユーザがチェックポイントに到達したことを、ステップＳ５５にて受信したチェックポイントの位置情報と、現在位置で方位センサ２８や測位センサ２９によって検出された現在位置情報とが一致するかによって判断する（ステップＳ５９）。チェックポイントの位置情報と一致するときには、現在目標としているチェックポイントに通信端末１０のユーザが到達したことを表わすチェックポイント到達信号を含むデータを、情報センター１に送信する（ステップＳ６０）。
【００７１】
尚、情報センター１から通信端末１０に対して目標とするチェックポイントの位置情報自体は送信されず、通信端末１０ではチェックポイントへの経路誘導は行われないシステム構成の場合、ステップＳ５９では、通信端末１０のユーザがチェックポイントに到達したと自ら判断したときに操作する所定のスイッチが操作されたかを判断し、ステップＳ６０では、このスイッチの操作が検出されるのに応じて、通信端末１０の現在位置情報と、チェックポイント到達信号とを含むデータを情報センター１に送信すればよい。この場合、情報センター１では、受信した通信端末１０の現在位置情報がチェックポイントの位置情報に一致するかを判断する必要が有るので、その判断結果を、上述した不正解信号の送信の要否判断に加えればよい。
【００７２】
次に、通信端末１０は、キーワード或いは暗証番号を入力する所定のマニュアル操作が行われたかを判断する（ステップＳ６１）。マニュアル操作が行われると（ステップＳ６１でＹＥＳ）、入力されたキーワード或いは暗証番号と、方位センサ２８や測位センサ２９によって検出された位置測定情報とを、情報センター１に送信する（ステップＳ６２）。ここで、キーワード或いは暗証番号は、通信端末１０のユーザがチェックポイントの施設を来訪したときに、その施設の従業員から入手してもよい。
【００７３】
次に、通信端末１０は、送信したキーワード或いは暗証番号が不正解であることを表わす不正解信号を含むデータを情報センター１から受信したかを判断し（ステップＳ６３）、このデータを受信したときには、不正解信号を受信した旨を出力装置２３上に表示する（ステップＳ６４）。
【００７４】
次に、通信端末１０は、一時中断操作があるかを判断し（ステップＳ６５）、ユーザ操作によって図９の「一時中断」ボタンが押され、一時中断操作が行われると、情報センター１に一時中断信号を送信する（ステップＳ６６）。
【００７５】
次に、通信端末１０は、情報センター１から図１０に示す一時中断コースのリストを情報センター１から受信し、ユーザ操作により一時中断コースの１つを選択して再開操作（例えば「スタート」ボタンを押す操作）があるかどうかを判断する（ステップＳ６７）。この一時中断コースのリストは、過去に一時中断したときの場所や時間のリストであり、例えば、図１１に示すデータベースとして情報センター１のＨＤＤ１４に格納されている。
【００７６】
ユーザ操作により一時中断コースの１つを選択し「スタート」ボタンを押されて再開要求があれば、情報センター１に再開要求を送信し（ステップＳ６８）、オリエンテーリングの再開を許容する。再開要求がなければ、ステップＳ６７を繰り返し、一時中断の状態が保持される。
【００７７】
次に、通信端末１０は、情報センター１から完走賞を受信したかどうかを判断する（ステップＳ６９）。通信端末１０は、情報センター１から完走賞を受信すれば（ステップＳ６９でＹＥＳ）、情報センター１に完走賞受信を示す信号を送信し（ステップＳ７０）、処理を終了する。通信端末１０は、情報センター１から完走賞を受信しなければ（ステップＳ６９でＮＯ）、ステップＳ５５へ戻る。
【００７８】
上記の処理を行って、情報センター１及び通信端末１０は、インターネット２を介して通信端末１０でオリエンテーリングを行い、オリエンテーリングの接続が困難な場合に一時中断し、後で再開することができる情報処理システム、通信端末及び情報処理装置を実現することができる。
（他の実施の形態）
ここで、上述した通信端末１０側のオリエンテーリング処理のソフトウエアプログラムは、本システムの利用に先立って、ＣＤ−ＲＯＭ等の記憶媒体によって通信端末１０のユーザに提供され、通信端末１０のＨＤＤ２６等に予め格納しておく方法、或いは、本システムを利用すべく通信端末１０が情報センター１に接続する際に、ＨＴＭＬ、ＸＭＬ形式などのマークアップ言語で記述されたデータ等と共に、上述した通信端末１０側のオリエンテーリング動作処理の機能が記述されたソフトウエアプログラムを取得する方法を採用することができる。
【００７９】
より具体的には、後者の場合、オリエンテーリング処理の機能が記述されたソフトウエアプログラムは、例えば、JavaScript、Perlなどのスクリプト言語、Java、Ｃ、Ｃ＋＋などのプログラミング言語等、あるいはこれらの言語を複数組み合わせたものを通信端末１０に提供してもよい。また、JavaアプレットやFlashなどのプラグインを用いたソフトウエアプログラムを通信端末１０に提供してもよい。音声や画像を用いる場合は、インターネット上で一般的に使用されている形式で通信端末１０に提供してもよい。Java、Ｃ、Ｃ＋＋などのプログラミング言語を用いる場合は、通信端末１０で直ぐに実行できるバイナリ形式のソフトウエアプログラムを通信端末１０に提供してもよい。ユーザの利便性を考えると、多くのユーザが快適に利用できる形式のプログラミング言語、スクリプト言語、マークアップ言語、音声、画像、プラグイン等を組み合わせを用いるのが望ましい。
【００８０】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００８１】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００８２】
その場合、プログラムの機能を有していれば、オブジェクトコード、インタプリタにより実行されるプログラム、ＯＳに供給するスクリプトデータ等、プログラムの形態を問わない。
【００８３】
プログラムを供給するための記録媒体としては、例えば、フロッピーディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８４】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００８５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００８７】
さらに、記録媒体から読み出されたプログラムが、コンピュータに挿入された機能拡張ボードやコンピュータに接続される機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００８８】
以上説明した本実施形態によれば、通信端末１０のユーザは、情報センター１から提供されるオリエンテーリングを継続するのが困難な場合に一時中断し、後で再開することによってユーザの利便性を向上することができる。
【図面の簡単な説明】
【図１】本発明の実施の形態に係る情報処理システムの全体構成を示す概念図である。
【図２】本実施形態における情報センターの内部構成を例示するブロック図である。
【図３】本実施形態における通信端末の内部構成を例示するブロック図である。
【図４】本実施形態における情報処理システムによって実現されるオリエンテーリングを示す図である。
【図５】情報センター側の制御処理を示すフローチャートである。
【図６】通信端末側の制御処理を示すフローチャートである。
【図７】情報センターの制御処理のうちオリエンテーリング処理動作を示すフローチャートである。
【図８】通信端末の制御処理のうちオリエンテーリング処理動作を示すフローチャートである。
【図９】オリエンテーリング処理におけるメニュー画面を示す図である。
【図１０】オリエンテーリングにおける一時中断コースのリストを示す図である。
【図１１】情報センターに格納されたユーザのデータベースを示す図である。
【符号の説明】
１：情報センター
２：インターネット
３：基地局
４：通信機能付き車載ナビゲーション装置
５：携帯端末
６：チェックポイントデータ記録部
７：地図データ記録部
１０：通信端末
１１：ＣＰＵ
１２：ＲＯＭ
１３：ＲＡＭ
１４：ＨＤＤ
１５：通信インタフェース
１６：内部バス
２１：ＣＰＵ
２２：入力装置
２３：出力装置
２４：ＲＯＭ
２５：ＲＡＭ
２６：ＨＤＤ
２７：通信アンテナ
２８：方位センサ
２９：測位センサ
３０：内部バス
３１：通信回線
【図１】
0004019411.tif 000002
【図２】
0004019411.tif 000003
【図３】
0004019411.tif 000004
【図４】
0004019411.tif 000005
【図５】
0004019411.tif 000006
【図６】
0004019411.tif 000007
【図７】
0004019411.tif 000008
【図８】
0004019411.tif 000009
【図９】
0004019411.tif 000010
【図１０】
0004019411.tif 000011
【図１１】
0004019411.tif 000012